(57)【特許請求の範囲】
【請求項１】
レンズ鏡筒に保持されるレンズについて、上記レンズ鏡筒の光軸に対する倒れを調整するレンズの倒れ調整装置において、
上記レンズを保持するレンズ保持枠と、
上記レンズ保持枠を上記レンズの倒れ方向に変位可能に保持する調整枠と、
上記調整枠から上記光軸と交差する方向に延設され、上記光軸に沿う方向である光軸方向に可撓性を有し、上記レンズ保持枠に対して上記光軸方向で当接する可撓体と、
上記可撓体が上記レンズ保持枠に当接する位置に対して上記可撓体を挟んだ反対側に配置され、上記調整枠に対して上記光軸と交差する方向に進退可能にねじ結合するねじと、
上記可撓体が上記レンズ保持枠に当接する位置に対して上記可撓体を挟んだ反対側に配置され、上記ねじの上記調整枠に対するねじ結合の量に応じて、光軸と交差する方向における位置が変位させられる駒体と、
を有し、
上記可撓体と上記駒体とは、互いに、上記光軸方向で当接することができる当接部を有し、
上記可撓体と上記駒体との少なくとも一方の上記当接部は、上記光軸に近づくに従って上記ねじの軸との間隔が狭くなる傾斜部に形成され、
上記調整枠および上記レンズ保持枠には、光軸方向に係合することで上記調整枠と上記レンズ保持枠との相対的な移動を規制すると共に、上記移動に対して弾性的に変形することができる係合手段が備えられている、
ことを特徴とするレンズの倒れ調整装置。
【請求項２】
請求項１に記載のレンズの倒れ調整装置において、
前記調整枠には、前記駒体が、前記可撓体の配置される側とは反対側に移動しないように、前記駒体に対して前記可撓体が配置される側とは反対側で当接する当接体が設けられている、
ことを特徴とするレンズの倒れ調整装置。
【請求項３】
請求項１または２に記載のレンズの倒れ調整装置において、
前記係合手段は、バヨネットにより構成され、上記バヨネットを構成する雌側バヨネットあるいは雄側バヨネットの少なくとも一方の爪部は、前記光軸方向に弾性を有する、
ことを特徴とするレンズの倒れ調整装置。
【請求項４】
請求項３に記載のレンズの倒れ調整装置において、
前記バヨネットの雌側バヨネットの爪部には、前記光軸と交差する方向に３本のスリットが形成され、前記雄側バヨネットの爪部には、上記３本のスリットの真ん中のスリットに嵌る突起部が設けられている、
ことを特徴とするレンズの倒れ調整装置。
【請求項５】
レンズ鏡筒において、
請求項１から４のいずれか１項記載のレンズの倒れ調整装置を備え、
上記レンズ鏡筒には、前記ねじを上記レンズ鏡筒の外部から操作することができる孔部が形成されている、
ことを特徴とするレンズ鏡筒。
【発明の詳細な説明】
【技術分野】
【０００１】
本発明は、レンズ倒れ調整装置およびレンズ鏡筒に関する。
【背景技術】
【０００２】
レンズを用いる光学機器におけるレンズの取り付けは、レンズの光軸が光学機器に設定される所定の光軸に対して所定の傾きとなるように行う必要がある。たとえば、光学機器の一つであるレンズ鏡筒においては、レンズ鏡筒に保持される複数のレンズの光軸を互いに一致させる必要がある。そのため、たとえば、特許文献１には、レンズ枠のレンズ鏡筒への取り付けに当たり、レンズ枠とレンズ鏡筒との間にワッシャを挟むことで、レンズ枠に保持されるレンズの倒れを調整し、レンズ枠に保持されているレンズとレンズ鏡筒の光軸とを一致させる構成が開示されている。
【先行技術文献】
【特許文献】
【０００３】
【特許文献１】実開平６−２３０１３号公報
【発明の概要】
【発明が解決しようとする課題】
【０００４】
しかしながら、ワッシャを挟む構成による場合は、レンズの倒れ角はワッシャの厚さ毎の調整量となり、調整の精度を高くすることが難しいという問題がある。
【０００５】
そこで、本発明は、レンズの倒れ調整の精度の向上を図ることができるレンズの倒れ調整装置、およびレンズの倒れ調整の精度の向上を図ることができるレンズ鏡筒を提供することを課題とする。  
【課題を解決するための手段】
【０００６】
上述の課題を解決するため、レンズ鏡筒に保持されるレンズについて、レンズ鏡筒の光軸に対する倒れを調整するレンズの倒れ調整装置において、レンズを保持するレンズ保持枠と、レンズ保持枠をレンズの倒れ方向に変位可能に保持する調整枠と、調整枠から光軸と交差する方向に延設され、光軸に沿う方向である光軸方向に可撓性を有し、レンズ保持枠に対して光軸方向で当接する可撓体と、可撓体がレンズ保持枠に当接する位置に対して可撓体を挟んだ反対側に配置され、調整枠に対して光軸と交差する方向に進退可能にねじ結合するねじと、可撓体がレンズ保持枠に当接する位置に対して可撓体を挟んだ反対側に配置され、ねじの調整枠に対するねじ結合の量に応じて、光軸と交差する方向における位置が変位させられる駒体とを有し、可撓体と駒体とは、互いに、光軸方向で当接することができる当接部を有し、可撓体と駒体との少なくとも一方の当接部は、光軸に近づくに従ってねじの軸との間隔が狭くなる傾斜部に形成され、調整枠およびレンズ保持枠には、光軸方向に係合することで調整枠とレンズ保持枠との相対的な移動を規制すると共に、移動に対して弾性的に変形することができる係合手段が備えられていることとする。
【０００７】
上記発明に加えて、本発明のレンズの倒れ調整装置においては、調整枠に、駒体が、可撓体の配置される側とは反対側に移動しないように、駒体に対して可撓体が配置される側とは反対側で当接する当接体が設けられていることとする。
【０００８】
さらに、本発明のレンズの倒れ調整装置においては、係合手段は、バヨネットにより構成され、バヨネットを構成する雌側バヨネットあるいは雄側バヨネットの少なくとも一方の爪部は、前記光軸方向に弾性を有することとする。
【０００９】
さらに、本発明のレンズの倒れ調整装置においては、バヨネットの雌側バヨネットの爪部には、光軸と交差する方向に３本のスリットが形成され、雄側バヨネットの爪部には、３本のスリットの真ん中のスリットに嵌る突起部が設けられていることとする。
【００１０】
上述の課題を解決するため、レンズ鏡筒において、上述のレンズの倒れ調整装置を備え、レンズ鏡筒には、レンズの倒れ調整装置に備えられる駒体を変位させるためのねじをレンズ鏡筒の外部から操作することができる孔部が形成されていることとする。
【図面の簡単な説明】
【００１１】
【図１】本発明の実施の形態に調整装置の概略の構成を示す分解斜視図である。
【図２】本発明の実施の形態に調整装置の概略の構成を示す分解斜視図であり、図１に示す斜視図と異なる角度の斜視図である。
【図３】調整装置をレンズ鏡筒に組み込んだ状態を示す図であって、光軸を含む面における断面の概略の構成を部分的に示す部分断面図である。
【図４】可撓体と駒体の構成の変形例を示す図である。
【図５】可撓体と駒体の構成の変形例を示す図である。
【図６】駒体の変形例を示す図である。
【発明を実施するための形態】
【００１２】
（実施の形態）
以下、本発明の実施の形態に係るレンズの倒れ調整装置（以下、単に調整装置と記載する。）１およびこの調整装置１を備えるレンズ鏡筒２の構成について、図面を参照しながら説明をする。なお、レンズの倒れとは、光学装置の所定の光軸に対するレンズの光軸の傾きをいい、本実施の形態においては、レンズ鏡筒２の光軸Ｘ１に対する、調整対象となる第１群レンズ３の光軸Ｘ２の傾きが、第１群レンズ３の倒れということになる。
【００１３】
（調整装置１、レンズ鏡筒２の全体構成）
図１，２は、本発明の実施の形態にかかる調整装置１の概略の構成を示す分解斜視図である。図３は、レンズ鏡筒２に調整装置１を組み込んだ状態を示す図であって、光軸Ｘ１を含む面における断面の概略の構成を部分的に示す部分断面図である。
【００１４】
本実施の形態に示すレンズ鏡筒２は、投射型プロジェクタ装置の投射レンズを構成するものであり、図３中、右方から左方に光が進行する構成となっている。図３に示されるレンズ鏡筒２の右方には、液晶パネル等により構成される図示外の画像表示部が備えられている。レンズ鏡筒２は、画像表示部（図示外）に形成される画像を、投射レンズを介して、図３における左方に配置される図示外のスクリーン上に、投射映像として結像することができるものである。
【００１５】
調整装置１は、レンズ鏡筒２に組み込まれ、３枚のレンズ３Ａ，３Ｂ，３Ｃ（図３参照）から構成される第１群レンズ３が光軸Ｘ１に対して有する倒れを調整するためのものである。調整装置１は、倒れの調整対象となる第１群レンズ３を保持するレンズ保持枠４と、このレンズ保持枠４を、第１群レンズ３の倒れを変化させる方向に変位可能に保持する調整枠５とを有する。第１群レンズ３は、レンズ鏡筒２の最も光出射側に配置される。投射レンズにおいては、投射画角を大きくする必要等から、第１群レンズ３の口径（直径）を大きな構成とすることが多い。そのため、第１群レンズ３の自重が大きくなり、第１群レンズ３をレンズ鏡筒２に組み込んだ際に、倒れが発生し易い。そのため、レンズ鏡筒２においては、第１群レンズ３の倒れを調整装置１において調整する構成としている。
【００１６】
レンズ鏡筒２は、カム筒６と直進ガイド筒７とを備え、カム筒６を回転することで、調整装置１に保持される第１群レンズ３と、レンズ保持枠８に保持される第２群レンズ９とを移動することができるように構成されている。
【００１７】
（レンズ保持枠４，調整枠５）
レンズ保持枠４は、レンズ３Ａ，３Ｂ，３Ｃを保持するレンズ保持部１０と、レンズ保持枠４の調整枠５への保持部として構成される被保持部１１と、係合手段としてのバヨネット１２を構成する雌側バヨネット１２Ａとを有する。レンズ保持枠４は、全体として環状体を呈し、枠の内側にレンズ保持部１０が構成され、枠の外側に、被保持部１１および雌側バヨネット１２Ａが構成される。調整枠５も全体として環状体を呈し、レンズ保持枠４の被保持部１１を保持する保持筒１３と、第１群レンズ３の倒れ調整を行う調整機構１４と、雌側バヨネット１２Ａと共にバヨネット１２を構成する爪部としての雄側バヨネット１２Ｂ等を有する。調整機構１４は、光軸Ｘ２の周囲に１２０度間隔で３箇所に配置されている。また、バヨネット１２（雌側バヨネット１２Ａおよび雄側バヨネット１２Ｂ）も、それぞれ、光軸Ｘ２の周囲に１２０度間隔で３箇所に配置されている。
【００１８】
レンズ保持枠４および調整枠５は、たとえば、ポリカーボネイト樹脂（ＰＣ樹脂）、ポリフェニレンエーテル（ｍ−ＰＰＥ）、ポリアセタール（ＰＯＭ）等のいわゆるエンジニアリング樹脂により形成され、成形加工により一体的な構成となっている。なお、以下の説明において、光軸Ｘ１あるいは光軸Ｘ２に沿う方向であって、調整枠５に対してレンズ保持枠４が配置される方向を前方とし、その反対方向を後方として説明を行う。また、光軸Ｘ１あるいは光軸Ｘ２に交差する方向であって、光軸Ｘ１あるいは光軸Ｘ２から離れる方向を外側方向、その反対方向を内側方向として説明を行うこととする。また、後方から前方を見たときの左手側を左方、右手方向を右方として説明を行う。
【００１９】
レンズ保持枠４の被保持部１１は、外周面１５が円周面を呈し、また、調整枠５の保持筒１３の内周面３５も円周面を呈している。レンズ保持枠４は、被保持部１１が保持筒１３内に挿入され、調整枠５に対して保持されている。樹脂により形成されるレンズ保持枠４および調整枠５は、若干の可撓性を有している。また、被保持部１１の保持筒１３内への挿入が圧入となるように、保持筒１３の内周面３５の直径Ｒ２は、被保持部１１の外周面１５の直径Ｒ１に比べて僅かに大きな径となっている。つまり、被保持部１１は、保持筒１３により締め付けられている状態で保持される。したがって、被保持部１１は、保持筒１３内にガタの無い状態で保持されるが、レンズ保持枠４および調整枠５は可撓性を有しているため、調整枠５に保持された状態のレンズ保持枠４は、レンズ保持枠４および調整枠５の可撓性の範囲内で、保持筒１３に対して傾斜可能であり、第１群レンズ３の光軸Ｘ２の光軸Ｘ１に対する傾斜を変えることができる。直径Ｒ２に対して直径Ｒ１が大きくなるほど、被保持部１１が保持筒１３により締め付けられる力も大きくなり、レンズ保持枠４および調整枠５の撓むことができる量も小さくなる。そのため、直径Ｒ２に対して直径Ｒ１が大きくなるほど、レンズ保持枠４の倒れの調整可能量は小さくなる。逆に、直径Ｒ２に対して直径Ｒ１が小さくなるほど、被保持部１１が保持筒１３により締め付けられる力が小さくなり、レンズ保持枠４の倒れの調整可能量は大きくなる。なお、Ｒ２＞Ｒ１とされる場合には、直径Ｒ１と直径Ｒ２の差分（被保持部１１の外周面１５と保持筒１３の内周面３５との間の隙間の間隔）に対応して、第１群レンズ３の倒れの調整可能量が決まる。差分が大きくなると倒れの調整可能量は大きくなり、差分が小さくなると倒れの調整可能量も小さくなる。
【００２０】
調整枠５に保持されたレンズ保持枠４は、雌側バヨネット１２Ａが調整枠５の雄側バヨネット１２Ｂに係合されることで、調整枠５に対して前後方向への移動が規制される。雄側バヨネット１２Ｂは、保持筒１３の内周面３５に内側方向に向けて延設されている。雌側バヨネット１２Ａは、レンズ保持部１０に形成され、雄側バヨネット１２Ｂの導入部１６と、雄側バヨネット１２Ｂが嵌合する嵌合溝１７と、爪部１８とを有している。嵌合溝１７は、被保持部１１の外周面１５に形成される溝部であり、導入部１６に連通し、導入部１６から左方に向かって沿設されている。嵌合溝１７の後方側の壁部が爪部１８として構成され、爪部１８には、光軸Ｘ２と交差する方向に３つのスリット１９Ａ，１９Ｂ，１９Ｃが形成されている。爪部１８がスリット１９Ａ，１９Ｂ，１９Ｃにより分割されることで、中央のスリット１９Ｂの両側（左右）には、小爪部１８Ａ，１８Ｂが形成されている。
【００２１】
レンズ保持枠４は、調整枠５に形成される雄側バヨネット１２Ｂに雌側バヨネット１２Ａを係合させることで、調整枠５に対して前後方向への移動が規制された状態で保持される。雌側バヨネット１２Ａは、導入部１６に雄側バヨネット１２Ｂを通し、嵌合溝１７内に雄側バヨネット１２Ｂを挿入させることができる。雄側バヨネット１２Ｂの後側の面には半球状の突起部２０が形成されている。突起部２０は、雄側バヨネット１２Ｂが嵌合溝１７に挿入されたときに爪部１８の側となる面に形成され、スリット１９Ｂに嵌合することができる。したがって、雄側バヨネット１２Ｂを嵌合溝１７に挿入し、突起部２０をスリット１９Ｂに嵌合させることで、レンズ保持枠４の光軸Ｘ２の周方向への位置決めが行われる。
【００２２】
嵌合溝１７の前後方向のＷは、小爪部１８Ａ、１８Ｂの部分において、雄側バヨネット１２の前後方向の厚さＴよりもやや小さい。一方、導入部１６から小爪部１８Ａの部分において、雄側バヨネット１２の前後方向の厚さＴよりもやや大きくなっている。そのため、雄側バヨネット１２は、小爪部１８Ａ、１８Ｂの部分において、小爪部１８Ａ、１８Ｂと壁部２１との間にガタ無く挟持される。雄バヨネット１２が小爪部１８Ａ、１８Ｂと壁部２１との間にガタ無く挟持されることで、レンズ保持枠４の調整枠５に対する前後方向の位置決めが行われる。これに対し、嵌合溝１７の前後方向のＷを、導入部１６から小爪部１８Ａの部分において、雄側バヨネット１２の前後方向の厚さＴよりもやや大きくすることで、雄側バヨネット１２を小爪部１８Ａ、１８Ｂに向けてスムーズに移動することができる。このため、嵌合溝１７を移動される雄側バヨネット１２に負荷がかかり難く、雄側バヨネット１２の破損を防止することができる。
【００２３】
爪部１８にスリット１９Ａ，１９Ｂ，１９Ｃを形成することで形成された小爪部１８Ａ，１８Ｂは、レンズ保持枠４への接続部２２を固定部として、前後方向に、レンズ保持枠４を形成する樹脂の材質に応じた弾性で若干の可撓性を有し弾性変形することができる。そのため、突起部２０にスリット１９Ｂが嵌合するように雌側バヨネット１２Ａを雄側バヨネット１２Ｂに係合するようにレンズ保持枠４を調整枠５に保持させた状態で、レンズ保持枠４に対して前方向に力を作用させると、小爪部１８Ａ，１８Ｂの撓み量だけ、レンズ保持枠４を前方向に変位させることができる。
【００２４】
（調整機構１４）
調整機構１４は、光軸Ｘ２の周囲に１２０度間隔で３箇所に備えられ、各調整機構１４は、それぞれ、可撓体２３と、ねじ２４と、駒体２５とを有する。可撓体２３は、調整枠５の外周側に外側方向に向かって、前後方向の厚さが左右方向の幅に比べて薄い板状に延設される。可撓体２３は、調整枠５との接続部２６を固定部として、前後方向に、調整枠５を形成する樹脂の材質に応じた弾性で若干の可撓性を有する。可撓体２３の先端部には、レンズ保持枠４に向けて（前方に向けて）突出する突起部２７が形成されている。調整装置１は、雌側バヨネット１２Ａを雄側バヨネット１２Ｂに係合させるようにレンズ保持枠４を調整枠５に保持させた状態で、突起部２７が、レンズ保持枠４の後方に向く面２８に当接することができるように、面２８や突起部２７の突出量等が配置されている。なお、駒体２５は、たとえば、ポリカーボネイト樹脂、ポリフェニレンエーテル、ポリアセタール等のいわゆるエンジニアリング樹脂により形成される。
【００２５】
可撓体２３を挟んだレンズ保持枠４の反対側、すなわち、可撓体２３の後方側には、ねじ２４により調整枠５に取り付けられる駒体２５が配置されている。駒体２５は、外側方向に向かってやや直径が大きくなる円錐台を呈し、中央部には、ねじ２４を挿通するねじ挿通孔２９が形成されている。ねじ挿通孔２９に通されるねじ２４を調整枠５にねじ着することにより、駒体２５は、調整枠５に取り付けられる。ねじ２４の頭部にはフランジ部３０が形成されている。このフランジ部３０は、ねじ２４よりも外径方向に突出し、駒体２５のねじ挿通孔２９よりも大きな直径に形成されている。したがって、ねじ２４により調整枠５に取り付けられた駒体２５は、フランジ部３０により外側方向への移動が規制される。また、駒体２５は、ねじ２４を調整枠５に締め込むことにより、フランジ部３０に押されて、締め込み量（ねじ２４の調整枠５へのねじ結合量）に応じて、内側方向に向かって移動させられる。
【００２６】
調整枠５には、調整枠５に取り付けられている駒体２５の後側、すなわち、可撓体２３が配置される側とは反対側で、駒体２５に対して当接する当接体３１が設けられている。当接体３１は、調整枠５の外周側に外側方向に向かって延設され、駒体２５の略半周に沿うように弧状に形成されている。したがって、駒体２５は、当接体３１と可撓体２３との間に、当接体３１と可撓体２３とに当接する状態で配置されている。当接体３１が駒体２５の後側に当接することで、駒体２５の後方への移動が規制されている。
【００２７】
可撓体２３の前後方向の厚さは、外側方向よりも内側方向ほど、後方に向かって厚くなるように形成されている。つまり、可撓体２３の駒体２５と当接する当接部は、可撓体２３とねじ２４の軸との間隔が外側方向から内側方向に向かって狭くなるように、光軸Ｘ２と直交する方向に対して傾斜している。また、駒体２５の外側方向の端部の直径Ｌは、ねじ２４を挟んだ可撓体２３と当接体３１との前後方向の間隔Ｄよりも大きい。したがって、ねじ２４が調整枠５に締め込まれることで内側方向に移動させられる駒体２５は、可撓体２３と当接体３１との間に押し込められるように嵌る。駒体２５は、上述したように、外側方向に向かってやや直径が大きくなる円錐台を呈し、また、可撓体２３は、前後方向の厚さが外側方向から内側方向に向かって、後方に向かって厚くなるように形成されている。したがって、駒体２５の可撓体２３と当接する当接部は、光軸Ｘ２に近づくに従ってねじ２４の軸との間隔が狭くなる傾斜部となっている。また、駒体２５と可撓体２３とが当接する傾斜部は、互いに合致する傾斜となっている。
【００２８】
駒体２５と可撓体２３とが上述の傾斜部で当接しているため、調整枠５へのねじ２４の締め込み量を増やし、駒体２５を内側方向に移動させることで、可撓体２３を前方に向かって撓ませることができる。その撓み量は、ねじ２４の調整枠５へのねじ２４の締め込み量が増え、駒体２５が内側方向へ移動するに連れて大きくなる。
【００２９】
突起部２０がスリット１９Ｂに嵌合するように、雌側バヨネット１２Ａを雄側バヨネット１２Ｂに係合させ、レンズ保持枠４を調整枠５に保持させた状態で、突起部２７は、レンズ保持枠４の後方に向く面２８に当接する。このように突起部２７がレンズ保持枠４の面２８に当接するようにレンズ保持枠４が調整枠５に保持された状態で、ねじ２４を締め込み駒体２５を内側方向に移動させると、可撓体２３が前方に撓み、レンズ保持枠４を調整枠５に対して前方に変位させることができる。調整機構１４は、光軸Ｘ２の周囲に１２０度間隔で３箇所に備えられている。したがって、各調整機構１４の可撓体２３の撓み量に応じて、レンズ保持枠４の前方への移動量を調整機構１４毎に変えることができる。
【００３０】
前述したように、レンズ鏡筒２は、カム筒６と直進ガイド筒７とを備え、カム筒６を回転することで、調整装置１に保持される第１群レンズ３と、レンズ保持枠８に保持される第２群レンズ９とを移動することができるように構成されている。具体的には、次のように構成されている。調整枠５には、光軸Ｘ２の周囲に１２０度間隔で３箇所に、カムフォロア３２が取り付けられている。このカムフォロア３２は、カム筒６に形成される図示外の第１群レンズ３用のカム溝に嵌合すると共に、直進ガイド筒７に形成される図示外の第１群レンズ３用の直進溝に嵌合している。つまり、調整装置１は、カムフォロア３２を介して、レンズ鏡筒２に対して取り付けられている。また、レンズ保持枠８についても、光軸Ｘ１の周囲に１２０度間隔で３箇所に、カムフォロア３３が取り付けられている。このカムフォロア３３は、カム筒６に形成される図示外の第２群レンズ９用のカム溝に嵌合すると共に、直進ガイド筒７に形成される図示外の第２群レンズ９用の直進溝に嵌合している。つまり、レンズ保持枠８は、カムフォロア３３を介して、レンズ鏡筒２に対して取り付けられている。
【００３１】
したがって、調整装置１をレンズ鏡筒２に組み込んだ状態で、調整機構１４のねじ２４の締め込み量を変え、可撓体２３の前方向への撓み量を変化させることで、レンズ保持枠４をレンズ鏡筒２に対して前方へ移動させることができる。調整機構１４は、光軸Ｘ２の周囲に１２０度間隔で３箇所配置されている。したがって、各調整機構１４の可撓体２３の前方向への撓み量をそれぞれ調整することで、第１群レンズ３の光軸Ｘ１に対する倒れを調整することができる。
【００３２】
また、レンズ鏡筒２のカム筒６および直進ガイド筒７には、ねじ２４の配置に対応させて、調整用孔３４が形成され、この調整用孔３４を通して治具（ねじ回し等）によりねじ２４を回す調整作業を行うことができる。したがって、第１群レンズ３をレンズ鏡筒２に組み込んだ状態で、第１群レンズ３の光軸Ｘ１に対する倒れを調整することができる。
【００３３】
（本実施の形態の主な効果）
調整装置１は、レンズ鏡筒２に保持される第１群レンズ３のレンズ鏡筒２の光軸Ｘ１に対する倒れを調整するものである。調整装置１は、第１群レンズ３を保持するレンズ保持枠４と、このレンズ保持枠４を第１群レンズ３の倒れ方向に変位可能に保持する調整枠５と、調整枠５から光軸Ｘ１と交差する方向に延設され、光軸Ｘ１に沿う方向である光軸方向に可撓性を有し、レンズ保持枠４に対して光軸方向で当接する可撓体２３と、調整枠５に対して、光軸Ｘ１と交差する方向に進退可能にねじ結合するねじ２４と、可撓体２３がレンズ保持枠４に当接する位置に対して可撓体２３を挟んだ反対側となる後方に配置され、ねじ２４の調整枠に対するねじ結合の量に応じて、光軸Ｘ１と交差する方向における位置が変位させられる駒体２５とを有している。そして、可撓体２３と駒体２５とは、互いに、光軸Ｘ１方向で当接することができる当接部を有し、可撓体２３と駒体２５との少なくとも一方の当接部は、光軸Ｘ１に近づくに従ってねじ２４の軸との間隔が狭くなる傾斜部に形成されている。さらに、調整枠５およびレンズ保持枠４には、光軸Ｘ１の方向に係合することで調整枠５とレンズ保持枠４との相対的な移動を規制すると共に、この移動に対して弾性的に変形することができる係合手段としてのバヨネット１２が備えられている。
【００３４】
駒体２５と可撓体２３とが当接する部分は、光軸Ｘ１（光軸Ｘ２）に近づくほどねじ２４の軸との間隔が狭くなっている。つまり、駒体２５と可撓体２３とが当接する当接部は、駒体２５の内側方向への移動を、可撓体２３の前方側（レンズ保持枠４側）へ撓み変形に変換するカム部として機能を有する。したがって、調整枠５へのねじ２４の締め込み量を増やし、駒体２５を内側方向に移動させると、駒体２５の移動量に応じて可撓体２３が前方に撓む。可撓体２３は突起部２７において、レンズ保持枠４の面２８に当接している。そのため、可撓体２３が前方に撓むことで、レンズ保持枠４を前方に移動させることができる。
【００３５】
レンズ保持枠４は調整枠５に対してバヨネット１２により係合され、前方への移動が制限されている。したがって、可撓体２３によりレンズ保持枠４が前方に押されても、レンズ保持枠４が調整枠５から脱落してしまうことはない。また、バヨネット１２は小爪部１８Ａ，１８Ｂが前後方向に弾性変形することができる。つまり、小爪部１８Ａ，１８Ｂの弾性変形によりレンズ保持枠４の前方への移動が許容され、小爪部１８Ａ，１８Ｂが弾性を有しているため、レンズ保持枠４の調整枠５との間に、光軸Ｘ１方向のガタが生じ難い。また、調整機構１４は、光軸Ｘ１の周囲に１２０度間隔で３箇所に配置されている。これにより、各調整機構１４の可撓体２３の撓み量を適切に設定することで、第１群レンズ３の光軸Ｘ１に対する倒れを調整することができる。
【００３６】
また、可撓体２３と駒体２５とが傾斜部で当接している。このため、ねじ２４の移動量に対する可撓体２３の撓み量が小さなものとなり、第１群レンズ３の倒れ調整の精度を高いものとすることができる。さらに、可撓体２３と駒体２５のそれぞれの傾斜部の傾きを設定することで、ネジの移動量に対する可撓体２３の撓み量を変えることができ、それによりより倒れ調整の精度を高める事が可能となる。可撓体２３と駒体２５のそれぞれの傾斜部の傾きの設定は、要求される調整の精度に応じて、調整装置１の設計時に行うことができる。
【００３７】
なお、可撓体２３と駒体２５とは、図４、図５に示す構成としてもよい。上述の実施の形態では、可撓体２３と駒体２５とが当接する当接部の両方に傾斜部が形成されているが、図４に示すように、可撓体２３側のみ、駒体２５との当接部に傾斜部を設け、駒体２５は円柱形としてもよい。また、図５に示すように、可撓体２３側の駒体２５との当接部は、光軸Ｘ１に直交する方向に沿う面とし、駒体２５を円錐台として、可撓体２３との接触部を傾斜部としてもよい。また、駒体２５は、図６に示すように、角錐台としてもよい。
【００３８】
調整装置１には、調整枠５に、駒体２５が、可撓体２３の配置される側とは反対側に移動しないように、駒体２５に対して可撓体２３が配置される側とは反対側で当接する当接体３１が設けられている。
【００３９】
ねじ２４が調整枠５に締め込まれ駒体２５が内側方向に移動すると、駒体２５は、可撓体２３の前方への撓み変形による弾性の反力により、後方に押される。そのため、ねじ２４が調整枠５に対して傾斜して結合したり、あるいは、ねじ２４と調整枠５とのねじ結合部を破損してしまう虞がある。しかしながら、当接体３１を、駒体２５の後側、すなわち、可撓体２３が配置される側とは反対側に当接させることで、駒体２５の後方への移動が阻止される。そのため、ねじ２４に作用する後方に向く力が軽減され、ねじ２４が調整枠５に対して傾斜して結合してしまったり、あるいは、ねじ２４と調整枠５とのねじ結合部を破損してしまう虞を少なくすることができる。
【００４０】
当接体３１は、駒体２５の略半周に沿うように弧状に形成されている。つまり、駒体２５の左右においても調整枠５に対して固定されている。上述のように、当接体３１には、駒体２５を内側方向に変位させる際に可撓体２３から受ける反力により後方に向けて力が作用し、当接体３１の調整枠５との接続部に破断を生じる虞がある。しかしながら、当接体３１を駒体２５の左右においても調整枠５に固定させることで、当接体３１と調整枠５との接続部の強度を向上させることができ、当接体３１の調整枠５との接続部の破断を防止することができる。
【００４１】
上述の実施の形態に係る調整装置１においては、バヨネット１２を用いることにより、レンズ保持枠４の調整枠５に対する光軸Ｘ１に沿う方向の移動を簡単な構成で規制している。上述の実施の形態に係る調整装置１においては、雌側バヨネット１２Ａの爪部１８にスリット１９Ａ，１９Ｂ，１９Ｃを形成することで小爪部１８Ａ，１８Ｂを形成し、この小爪部１８Ａ，１８Ｂにより弾性的に爪部としての雄側バヨネット１２Ｂを受ける構成としている。しかしながら、スリット１９Ａ，１９Ｂ，１９Ｃを形成することなく、爪部１８を、第１群レンズ３の倒れ調整に必要な弾性変形を行うことができる構成としてもよい。また、雄側バヨネット１２Ｂの側を、第１群レンズ３の倒れ調整に必要な弾性変形を行うことができる構成としてもよい。
【００４２】
しかしながら、雌側バヨネット１２の爪部１８には、光軸Ｘ１と交差する方向に３本のスリット１９Ａ，１９Ｂ，１９Ｃを形成することで小爪部１８Ａ，１８Ｂを形成した場合には、スリット１９Ａ，１９Ｂ，１９Ｃ間の相互の間隔を変え、小爪部１８Ａ，１８Ｂの左右方向の幅を変えることで、小爪部１８Ａ，１８Ｂの弾性と変形量（可撓量）を適宜に設定することができる。また、雄側バヨネット１２Ｂに３本のスリット１９Ａ，１９Ｂ，１９Ｃのうち真ん中のスリット１９Ｂに嵌る突起部２０が設けられている。スリット１９Ｂに突起部２０を嵌合させることで、レンズ保持枠４の光軸Ｘ１の周方向に対する位置決めを行うことができる。
【００４３】
レンズ鏡筒２は、調整装置１を備え、レンズ鏡筒２には、ねじ２４をレンズ鏡筒２の外部から操作することができる孔部としての調整用孔３４が形成されている。これにより、調整用孔３４を通して治具（ねじ回し等）によりねじ２４を回す調整作業を行うことができる。したがって、第１群レンズ３をレンズ鏡筒２に組み込んだ状態で、第１群レンズ３の光軸Ｘ１に対する倒れを調整することができる。
【符号の説明】
【００４４】
１  …  レンズの倒れ調整装置
２  …  レンズ鏡筒
３  …  第１群レンズ（レンズ）
４  …  レンズ保持枠
５  …  調整枠
１２  …  バヨネット（係合手段）
１２Ａ  …  雌側バヨネット
１２Ｂ  …  雄側バヨネット
１８  …  爪部
１９Ａ，１９Ｂ，１９Ｃ  …  スリット
２０  …  突起部
２３  …  可撓体
２４  …  ねじ
２５  …  駒体
３１  …  当接体
３４  …  調整用孔（孔部）
Ｘ１  …  光軸
【図１】
0005567987.tif 000002
【図２】
0005567987.tif 000003
【図３】
0005567987.tif 000004
【図４】
0005567987.tif 000005
【図５】
0005567987.tif 000006
【図６】
0005567987.tif 000007